(57)【要約】【課題】  性能低下を抑制するとともに、金型への投資を低減できる冷凍サイクル装置の室外機を提供すること。【解決手段】  実施形態の冷凍サイクル装置の室外機は、送風ファンと熱交換器とを収容し、送風ファンの吹き出し開口が設けられた筐体と、吹き出し開口を覆うファンガードと、を有する。ファンガードは、筐体との間にスペーサを介して取り付けられている。【選択図】図２
2018071420.tif 000002
【特許請求の範囲】
【請求項１】
送風ファンと熱交換器とを収容し、前記送風ファンの吹き出し開口が設けられた筐体と、前記吹き出し開口を覆うファンガードと、を有する冷凍サイクル装置の室外機において、前記ファンガードは、前記筐体との間にスペーサを介して取り付けられている冷凍サイクル装置の室外機。
【請求項２】
前記スペーサは前記ファンガードの側面と前記筐体との間を塞ぐ請求項１に記載の冷凍サイクル装置の室外機。
【請求項３】
前記スペーサは前記ファンガードの全周に沿って設けられる請求項１または請求項２に記載の冷凍サイクル装置の室外機。
【請求項４】
前記スペーサは、分割された複数の部材で形成された請求項１乃至請求項３のずれか一項に記載の冷凍サイクル装置の室外機。
【発明の詳細な説明】
【技術分野】
【０００１】
本発明の実施形態は、冷凍サイクル装置の室外機に関する。
【背景技術】
【０００２】
一般に用いられる冷凍サイクル装置の室外機は、内部に送風ファンと熱交換器と圧縮機が配置されている。送風ファンは、室外機本体の前面に設けられる吹き出し開口に対向して配置されるため、危険防止用として吹き出し開口をファンガードが覆っている。
室外機のサイズは維持したままで性能向上が望まれており、送風ファンが大型化するする傾向にある。そのため、ファンガードと送風ファンとの距離が近くなる。
【０００３】
しかしながら、ファンガードと送風ファンとの距離が近くなると、子供がファンガードの隙間から指を入れた際に送風ファンに触れるおそれがあり、ファンガードの網目を細かくする必要がある。
【０００４】
ファンガードの網目を細かくした場合、風量が減少するため性能が低下するおそれがある。そこで、送風ファンとファンガードの間の距離を離すことで、性能低下は抑制できるが、奥行寸法が大きくなる分ファンガード成型するための金型への投資が大きくなる。
【先行技術文献】
【特許文献】
【０００５】
【特許文献１】特開２０１０−６５９５１号公報
【特許文献２】特開２００２−２５０５４２号公報
【発明の概要】
【発明が解決しようとする課題】
【０００６】
本発明が解決しようとする課題は、性能低下を抑制するとともに、金型への投資を低減できる冷凍サイクル装置の室外機を提供することである。
【課題を解決するための手段】
【０００７】
上記課題を達成するために、実施形態の冷凍サイクル装置の室外機は、送風ファンと熱交換器とを収容し、送風ファンの吹き出し開口が設けられた筐体と、吹き出し開口を覆うファンガードと、を有する。ファンガードは、筐体との間にスペーサを介して取り付けられている。
【図面の簡単な説明】
【０００８】
【図１】実施形態による冷凍サイクル装置の室外機の斜視図である。
【図２】図１による室外機を分解して示す斜視図である。
【図３】図２による室外機の上側送風機の拡大図である
【図４】同実施形態によるファンガードの裏側から見た斜視図である。
【図５】同実施形態によるスペーサ部材の表面側を示す斜視図である。
【図６】同実施形態によるスペーサ部材の裏面側を示す斜視図である。
【図７】同実施形態による室外機の一部を分解して拡大した断面図である。
【図８】図７の組立状態の一部を示す断面図である。
【図９】従来の室外機の一部を拡大した断面図である。
【発明を実施するための形態】
【０００９】
以下、発明を実施するための実施形態について説明する。
実施形態の冷凍サイクル装置の室外機１について、図１乃至図８を参照して説明する。
【００１０】
図１は、本実施形態による冷凍サイクル装置の室外機の斜視図である。図２は、室外機を分解して示す斜視図である。図３は、図２の一部を拡大して示す図である。
実施形態の冷凍サイクル装置は空気調和装置であり、室外機１は、正面側左右方向の幅寸法Ｗが奥行寸法Ｄよりも大きく、幅寸法Ｗよりも高さ寸法Ｈが大きい薄型長方形状の筐体５を有している。この筐体５に室外熱交換器２、送風機３および圧縮機１１が収容されている。
【００１１】
図２に示すように、室外熱交換器２は、底板１０上に載置され、平面視でほぼＬ字状に形成されている。室外熱交換器２のＬ字状の長辺部分に対向してファン支持体９が底板１０から室外熱交換器２の上端部に架けて設けられ、このファン支持体９に２つの送風ファン３，３が上下に並んで取り付けられている。送風ファン３，３は室外熱交換器２に対向して配置されている。
【００１２】
筐体５の前面には、送風ファン３，３に対向して２つの吹き出し開口６，６が設けられている。この吹き出し開口６，６の筐体外側を覆うように２つのファンガード４，４が取り付けられている。これらファンガード４，４は、ファンガード４，４の全周に沿って設けられるスペーサ７，７を介して筐体５に取付けられている。各吹き出し開口６，６の筐体５内側に略円筒形状のベルマウス８，８が取り付けられている。
【００１３】
送風機３，３によって筐体５の背面および左側面から筐体５内に吸込まれた室外空気は、室外熱交換器２を通過した後、ベルマウス８，８、吹き出し開口６，６から筐体５の外部へ排出され、さらに、スペーサ７，７およびファンガード４，４を通過して排出される。
【００１４】
図３に示すように、筐体５の吹き出し開口６，６の周りには、スペーサ７に設けられた複数の引掛け爪７４を挿入する複数の係止用孔５２と、後述する固定ねじ１００を挿入する複数のねじ用孔５１が設けられている。
【００１５】
図４は、ファンガード４を裏側からみた斜視図である。ファンガード４は、樹脂成型品であり、正面視で四隅部が丸い角丸四角形状の枠部４１と、中心部に設けられる円盤部４３とを有し、さらに枠部４１と円盤部４３との間に設けられる桟部４２を有している。ここでは、ファンガード４の表側（筐体５の前面と同方向の面）を表面４Ａ、奥行方向の側部を側面４Ｂ、裏側（筐体５の前面と対向する面）を裏面４Ｃとする。図４においては、裏面４Ｃが紙面上側となる。
【００１６】
枠部４１は、角丸四角形の４辺を構成する４つの直線部４１ｓと角丸部分を構成する４つのコーナ部４１ｒを有している。さらに、枠部４１は、ファンガード４の側面４Ｂを形成する外壁部４１ａと、外壁部４１ａの内側に所定の間隔を在して設けられる内壁部４１ｂと、外壁部４１ａと内壁部４１ｂとの間に設けられる複数の補強リブ４３ｃとから構成されている。
【００１７】
枠部４１の裏側は、複数の補強リブ４ｃにより、複数に区画されており、４つの直線部４１ｓの各々の中央部の一区画が、後述するスペーサ７に設けられた第２突起７１Ｂａを挿入する位置決め凹部４７として機能する。
【００１８】
桟部４２は、円盤部４３と同心円状に形成される複数の環状桟部４２ａと、円盤部４３と枠部４１に亘って放射状に形成される複数の放射状桟部４２ｂとを有している。
円盤部４３は、ファンガード４の中心部に位置し、桟部４２と一体に設けられている。
【００１９】
ファンガード４の裏面４Ｃには、スペーサ７と係合する複数の引掛け爪４４および複数のねじカバー４５が設けられている。
【００２０】
引掛け爪４４は、ファンガード４の４つのコーナ部４１ｒの近くに該コーナ部を挟むように２個ずつ設けられ、合計で８個設けられている。
引掛け爪４４は、枠部４１の内壁部４１ｂの裏面４Ｃ側の端部から奥行方向に延出して設けられている。さらに、引掛け爪４４の先端部には、図7に示すようにファンガード４の外周（側面４Ｂ）側から内側に向けて突出する突起４４ａが設けられている。
【００２１】
ねじカバー４５は、ファンガード４の４つのコーナ部４１ｒ付近にそれぞれ１個ずつ設けられ、合計で４個設けられている。
これらねじカバー４５は、環状桟４２ａと放射状桟４２ｂの一部に亘って設けられる円筒状のものであり、その突出高さは、側面４Ｂの裏面側の端部までの高さと略同一に形成されている。さらに、ねじカバー４５の裏面側の端部から表面４Ａに向けて所定の深さの凹部４６が設けられている。この凹部４６に後述するスペーサ７に設けられた第１突起７１Ａａが挿入される。
【００２２】
スペーサ７について、図３および図５乃至図７を用いて説明する。スペーサ７は、樹脂成型品であり、図３に示すように、正面視においてファンガード４の角丸四角形状と略同一の外周形状を有する。スペーサ７の内側には、筐体５の吹き出し開口６に対応して円形状の連通部７ｈが設けられている。つまり、スペーサ７は、角丸四角形から吹出し開口６に対向する部分を丸くくり貫いたような外形形状を有している。ここでは、スペーサ７の表側（ファンガード４の裏面４Ｃと対向する面）を表面７Ａ、奥行方向の側部を側面７Ｂ、裏側（筐体５の前面と対向する面）を裏面７Ｃとする。
【００２３】
スペーサ７は、４つに分割されたスペーサ部材７ａ，７ｂ，７ｃ，７ｄから成り、これらのスペーサ部材７ａ，７ｂ，７ｃ，７ｄは、全て同じ形を有している。ここで、各スペーサ部材７ａ，７ｂ,７ｃ,７ｄは、スペーサ７の角丸四角形の４辺をそれぞれ二等分して設けられるのではなく、後述する長辺部７２ｌと短辺部７２ｓを有するように分割されている。これらスペーサ部材７ａ，７ｂ，７ｃ，７ｄは、同じ金型から成型できるため複数の型を必要としない。かつ、４つに分割したので一つの金型が小さくなり、金型への投資を低減することができる。
【００２４】
これら４つのスペーサ部材７ａ，７ｂ，７ｃ，７ｄは、いずれも同一の構成であるので、以下、スペーサ部材７ａ，７ｂ，７ｃ，７ｄを表す符号として “７１”を付して説明する。
図５は、スペーサ部材７１を表面７Ａ側からみた斜視図である。図６は、スペーサ部材７１を裏面７Ｃ側から見た斜視図である。
【００２５】
図５および図６に示すように、スペーサ部材７１は、スペーサ７の四隅部の１つを構成するベース部７１Ａと、ベース部７１Ａから延び、スペーサ７の角丸四角形の４辺の１つを構成する連結部７１Ｂとを有している。この連結部７１Ｂを有することで、ファンガード４の直線部４１ｓと筐体５との隙間が塞がれている。これにより、この隙間から子供が誤って指を入れることを防ぐことができる。
【００２６】
スペーサ部材７１の側部は、側壁部７２で囲われている。側壁部７２は、スペーサ７の外周形状（角丸四角形）の一部を構成するＬ字状の外周部７２ｏと、スペーサ７の内側に設けられた連通部７ｈの一部を構成する円弧状の内周部７２ｉとを有している。さらに、外周部７２ｏは、短辺部７２ｓと、長辺部７２ｌと、短辺部７２ｓと長辺部７２ｌを連結するコーナ部７２ｒとを有している。
【００２７】
外周部７２ｏの長辺部７２ｌと内周部７２ｉとが交わる部分には、連結用突部７１Ｄが設けられている。一方、外周部７２ｏの短辺部７２ｓと内周部７２ｉとが交わる部分には、外周部７２ｏよりも内側に凹んだ連結用段部７１Ｃが設けられている。
【００２８】
図３および図５に示すように、スペーサ部材７１のベース部７１Ａの表面７Ａ側には、ファンガード４の引掛け爪４４を係止するための２つの係止用孔７３，７３と、円柱状の第１突起７１Ａａが設けられている。さらに連結部７１Ｂには、第２突起７１Ｂａが設けられ、連結用突部７１Ｄには、第３突起７１Ｄａが設けられている。
【００２９】
２つの係止用孔７３，７３は、外周部７２ｏの短辺部７２ｓ側と長辺部７２ｌ側にそれぞれ１つずつ設けられている。２つの係止用孔７３，７３の間に第１突起７１Ａａが設けられている。
【００３０】
図６に示すように、ベース部７１Ａの裏面７Ｃ側には、筐体５の係止用孔５２に挿入される２つの引掛け爪７４、７４と、下穴７６が設けられたボス７５を有している。このボス７５を囲うように補強リブ７１Ａｂが設けられている。さらに、連結部７１Ｂには、外周部７２ｏと内周部７２ｉとの間に複数の補強リブ７１Ｂｂが設けられている。
【００３１】
スペーサ部材７１の２つの引掛け爪７４，７４は、外周部７２ｏの短辺部７２ｓと長辺部７２ｌにそれぞれ１つずつ設けられている。これら引掛け爪７４，７４は、係止用孔７３,７３の裏側に設けられるとともに、係止用孔７３,７３をそれぞれ跨ぐように起立して設けられている。
【００３２】
係止用孔７３、７３の周縁には、引掛け爪７４の突出方向にわずかに立ち上る係止用リブ７３ｂが設けられている。この係止用リブ７３ｂは、係止用孔７３の周縁において、外周部７２ｏの反対側の縁に設けられている。この係止用リブ７３ｂに、ファンガード４の引掛け爪４４の突起４４ａが係止される。
【００３３】
引掛け爪７４，７４の先端部は、側壁部７２の裏面７Ｃ側の端部よりも更に奥行方向に突出しており、これら先端部には、スペーサ７の内側から外周（側面７Ｂ）側に向けて突出する突起７４ａ，７４ａが設けられている。
【００３４】
ボス７５は、ベース部７１Ａの表面７Ａ側に設けられた第１突起７１Ａａと同軸上に位置し、第１突起７１Ａａとは反対側に突出して設けられている。ボス７５は、後述する固定ねじ１００を締結するセルフタップ用の下穴７６を有し、下穴７６は、ボス７５を貫通して第１突起７１Ａａの途中まで延びている。さらに、ボス７５は、その突出高さが、補強リブ７１Ａｂよりも低く設けられている。一方、補強リブ７１Ａｂの突出高さは、側壁部７２の裏面７Ｃ側の端部と略同一の高さに形成されている。
【００３５】
次に、ファンガード４およびスペーサ７の室外機１への取付け方について、図７および図８を用いて説明する。図７は、ファンガード４、スペーサ７、筐体５およびベルマウス８を分解した状態で示し、さらに一部を拡大して示す断面図である。図８は、図７の組立状態を示す断面拡大図である。
【００３６】
まず、４つのスペーサ部材７１（７ａ，７ｂ，７ｃ，７ｄ）をそれぞれファンガード４の裏面４Ｃに取り付ける。具体的には、４つのうちの１つのスペーサ部材７１（例えば７ａ）の表面７Ａとファンガード４の裏面４Ｃとを対向させるとともに、スペーサ部材７１をファンガード４の四隅部の一つに配置する。スペーサ部材７１の係止用孔７３，７３とファンガード４の引掛け爪４４，４４との位置をそれぞれ合わせる。これにより、スペーサ部材７１の第１突起７１Ａａとファンガード４のねじカバー４５の位置と、スペーサ部材７１の第２突起７２Ｂａとファンガード４の第２凹部４７の位置がそれぞれ合う。さらに、スペーサ部材７１の第３突起７１Ｄａがファンガード４の外壁部４１ａの内側に位置する。この状態で、スペーサ部材７１をファンガード４側に押し込む。
【００３７】
スペーサ部材７１がファンガード４側に押し込まれることで、引掛け爪４４が係止用孔７３に挿入され、引掛け爪４４の突起４４ａが係止用孔７３の係止用リブ７３ｂに係止される。さらに、スペーサ部材７１の第１突起７１Ａａがねじカバー４５の第１凹部４６に挿入され、第２突起７１Ｂａが第２凹部４７に挿入され、第３突起７１Ｄａが外壁部４１ａの内側に当接する。このようにして、スペーサ部材７１がファンガード４に固定される。
【００３８】
同様に残り３つのスペーサ部材７１（例えば、７ｂ，７ｃ，７ｄ）をファンガード４に取付ける。先にファンガード４に取付けたスペーサ部材７１（７ａ）の隣にスペーサ部材７１（７ｂ）を取付ける際は、スペーサ部材７１（７ｂ）の連結用段部７１Ｃとスペーサ部材７１（７ａ）の連結用突部７１Ｄとを合わせる。スペーサ部材７１（７ａ）の連結用突部７１Ｄは、他方のスペーサ部材７１（７ｂ）の連結用段部７１Ｃとの第３突起７１Ｄａにより確実に位置決めされる。つまり、スペーサ７とファンガード４の側面７Ｂとが面一に保たれる。
【００３９】
また、スペーサ部材７１の第１突起７１Ａａ、第２突起７１Ｂａおよび第３突起７１Ｄａを設けたので、スペーサ部材７１をファンガード４に取付ける際の位置合わせが確実に行えるとともに、スペーサ部材７１の成型時にわずかな変形があったとしても、ずれを修正して確実に固定することができる。さらに、スペーサ７とファンガード４との結合を、ねじを用いないスナップフィットによる固定としたことにより、スペーサ７の取付けが容易となる。
【００４０】
次に、スペーサ７を装着したファンガード４を筐体５に取り付ける。スペーサ７の裏面７Ｃに配置された複数の引掛け爪７４を筐体５前面の複数の係止用孔５２に挿入する。このとき、スペーサ７の引掛け爪７４の突起７４ａが、筐体５の係止用孔５２の周縁と係止される。
【００４１】
ここで、従来の冷凍サイクル装置の室外機におけるファンガード４の筐体５への取り付けについて図９を参照して説明する。筐体５の係止用孔５２は、筐体５の内部に向かってバーリング加工が施されている。これにより、係止用孔５２は、筐体５の内部に向かって立ち上がっている。ファンガード４は、筐体５の係止用孔５２の立ち上がり部５２ａの端部（周縁）５２ｂの内側部分に引掛け爪４４の突起４４ａが係止されることで固定されている。
【００４２】
本実施形態のスペーサ７は、係止用孔７３の係止用リブ７３ｂが、筐体５の係止用孔５２の立ち上り５２ａと略同一の高さとなるように設けられているので、既存のファンガード４に装着可能である。さらに、スペーサ７の引掛け爪７４の突起７４ａが、ファンガード４の引掛け爪４４の突起４４ａとは反対側を向くように設けられ、筐体５の係止用孔５２の立ち上がり５２ａの端部（周縁）５２ｂの外側部分に係止される。これにより、本実施形態のスペーサ７は、既存の室外機１に取り付けが可能となっている。
【００４３】
次に、ファンガード４およびスペーサ７を装着した筐体５に、内側からベルマウス８を取付ける。
ベルマウス８は、外枠８３の４ヶ所に等間隔で鍔部８１が設けられ、鍔部８１の先端付近に固定ねじ１００を挿入する固定用孔８２が設けられている。固定用孔８２と筐体５のねじ用孔５１の位置を合わせ、固定ねじ１００を固定用孔８２を介してねじ用孔５１に挿入する。なお、固定ねじ１００のねじ頭１０１ａと鍔部８１の間にワッシャ１０１が配置されている。
【００４４】
ねじ用孔５１は、筐体５の外部に向かってバーリング加工がされており、ねじ用孔５１は筐体５の外部に向かって立ち上がっている。一方、固定ねじ１００は、セルフタップねじであり、固定ねじ１００をねじ用孔５１にねじ込むことで、ねじ用孔５１の立ち上り５１ａにねじ山が形成される。さらに固定ねじ１００をねじ込むと、固定ねじ１００が筐体５から外側へ突出し、スペーサ７のボス７５に到達する。そして、固定ねじ１００は、ボス７５の下穴７６に侵入し、セルフタップにより下穴７６にねじ山を形成する。やがて、固定ねじ１００は、ねじ頭１００ａがワッシャ１０１を介してベルマウス８の鍔部８１に当接し、鍔部８１が筐体５の内側に当接するまでねじ込まれる。
【００４５】
以上により、固定ねじ１００により、ベルマウス８が筐体５に固定されるとともに、スペーサ７が筐体５に固定される。
このとき、スペーサ７のボス７５は、その突出高さが補強リブ７１Ａｂよりも低く設けられているので、筐体５のねじ用孔５１の立ち上り５１ａがボス７５の先端に当接することなく、補強リブ７１Ａｂに収容される。これにより、スペーサ７の裏面７Ｃが筐体５に密着することができる。
【００４６】
このようにして、室外機１を構成する筐体５に設けられた吹き出し開口６，６をファンガード４，４で覆い、かつ、筐体５とファンガード４の間には、送風ファン３とファンガード４の距離を充分に離すことを可能にするスペーサ７，７が取り付けられる。
【００４７】
以上説明した実施形態の冷凍サイクル装置の室外機１によれば、スペーサ７は、既存の室外機１への取り付けが可能なため、ファンガード４を変更するための新規の金型を必要としない。スペーサ７には、新たな金型が必要であるが、同一の構成の分割されたスペーサ部材７１により大型でかつ複数の金型を必要としないので、金型への投資を低減することが可能となる。
【００４８】
また、送風ファン３とファンガード４との距離を離すことができるので風量が増大した性能を向上させることができる。
【００４９】
本発明の一つの実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれる。
【符号の説明】
【００５０】
１…室外機、２…熱交換器、３…送風ファン、４…ファンガード、５…筐体、６…吹き出し開口、７…スペーサ、７ａ、７ｂ、７ｃ、７ｄ、７１…スペーサ部材、８…ベルマウス、１１…圧縮機。
【図１】
2018071420.tif 000003
【図２】
2018071420.tif 000004
【図３】
2018071420.tif 000005
【図４】
2018071420.tif 000006
【図５】
2018071420.tif 000007
【図６】
2018071420.tif 000008
【図７】
2018071420.tif 000009
【図８】
2018071420.tif 000010
【図９】
2018071420.tif 000011